(57)【要約】【課題】安定したロックとスムーズなスライドを併せて実現する。【構成】ユーザが、上部ハウジング１を下部ハウジング２に対するスライドの中間位置からスライドの端の位置にスライドさせていくと、これに伴い下部ハウジング２に固定されたスライド部材２１が、上部ハウジング１に固定されたシャーシ２４に対してスライドし、スライドの端の位置に達すると、スライド部材２１のスライド方向端部の突形状が、ロック用バネ２３のΩ形状の開口部分を押し広げながら（ｃ）、ロック用バネ２３の内に圧入される。そして、スライド部材２１のスライド方向端部の突形状のくびれとロック用バネ２３の開口部分が勘合した状態でロックされる（ｂ１）。【選択図】図２
2004349906.tif 000002
【特許請求の範囲】
【請求項１】
携帯型の電話を構成する第１のハウジングと第２のハウジングとをスライド可能に連結するスライドモジュールであって、
前記第１のハウジングに固定されるスライド部材と、
前記第２のハウジングに固定されるシャーシと、
前記シャーシに固定され、前記シャーシの底面との間に前記スライド部材をスライド可能に収容する、前記スライド部材のスライドをガイドするガイド孔を有するケースと、
ロック部材とを有し、
前記ロック部材は、前記シャーシの底面と平行な方向に弾性を持って、前記スライド部材から加わるスライド方向の力に応じて、少なくとも当該ロック部材の一部分を変形することにより、スライド方向端に移動された前記スライド部材と、嵌脱可能に嵌合して、前記スライド部材のスライドを抑制することを特徴とするスライドモジュール。
【請求項２】
請求項１記載のスライドモジュールであって、
前記スライド部材は、前記シャーシの底面と水平かつ前記スライド方向と垂直な方向にくびれた括れ部を有し、
前記ロック部材は、前記スライド部材の括れ部と弾性をもって嵌合して、前記スライド部材のスライドの抑制を行う弾性部材を含むことを特徴とするスライドモジュール。
【請求項３】
請求項１記載のスライドモジュールであって、
前記スライド部材は、前記第１のハウジングをネジ止めするためのネジ孔を有する、前記シャーシの底面に対して垂直に、前記ガイド孔を貫通して起立した筒状の固定部を有し、
前記ロック部材は、前記スライド部材の前記固定部に弾性をもって前記スライド方向に係合して、前前記スライド部材のスライドの抑制を行う弾性部材を含むことを特徴とするスライドモジュール。
【請求項４】
請求項１、２または３記載のスライドモジュールであって、
前記スライド部材と前記ケースとの間に配置された、前記スライド部材を前記シャーシの底面方向に付勢する板バネを有することを特徴とするスライドモジュール。
【発明の詳細な説明】
【０００１】
【発明の属する技術分野】
本発明は、スライドタイプの携帯電話に用いるスライドモジュールに関するものである。
【０００２】
【従来の技術】
たとえば、従来より、図５に示すように上部ハウジング１と下部ハウジング２とよりなり、図５ａに示す上部ハウジング１が下部ハウジング２上面の操作部を覆う位置から、図５ｂに示す下部ハウジング２の上面の操作部を露出させる位置まで、下部ハウジング対して相対的にスライドするスライドタイプの携帯電話が知られている。
【０００３】
また、このようなスライドタイプの携帯電話において、上部ハウジング１の下部ハウジング２に対するスライドのための機構としては、図６に示す機構が知られている（たとえば、特開２００２−３００２４３号公報）。
図６において、ａは上部ハウジング１と下部ハウジング２を分離して示した下部ハウジング２の上面を示すものであり、ｂは上部ハウジング１と下部ハウジング２を分離して示した上部ハウジング１の下面を示すものである。
図示するように、下部ハウジング２の上面には、二つのガイド片２１、下部ハウジング２内と上部ハウジング１内の配線用の孔２２と、二つのネジ止め用の孔２３が設けられている。また、上部ハウジング１の下面には、二つのガイド溝１１、配線用の孔１２が設けられている。また、上部ハウジング１には、図中上下方向にスライド可能なスライド部材１３１を備えたスライドモジュール１３が固定されている。
【０００４】
このような構成において、上部ハウジング１は下部ハウジング２上に、下部ハウジング２のガイド片２１が、上部ハウジング１のガイド溝１１に挿入された状態となるように重ねられる。また、下部ハウジング２内部から二つのネジ止め用の孔２３を貫通させた二つのネジによって、下部ハウジング２が、上部ハウジング１のスライドモジュール１３のスライド部材１３１に設けられた二つのネジ孔にネジ止めされる。そして、これにより、上部ハウジング１と下部ハウジング２とが、上部ハウジング１が下部ハウジング２に対して相対的にスライド可能に連結される。
【０００５】
さて、図中ｃは、このようなスライドモジュールを示すものであり、図中ｄは、スライドモジュールを分解して示した図である。
図示するように、このスライドモジュールは、スライド部材１３１と、スライド部材を収容するシャーシ１３２と、スライド部材１３１を支持し、スライド部材１３１のスライドをガイドするためのガイド孔１３３が形成されたケース１３４とからなる。そして、シャーシ１３２の底面には二つの孔１３５が離隔して形成されている。
【０００６】
そして、スライド部材１３１は、板スプリング１３１１と、垂直に起立した各々ネジ孔が設けられた二つの固定部１３１２とを有し、板スプリング１３１１には、板スプリング１３１１とシャーシ１３２との間に、コイルスプリング１３６とボール１３７を介在させるための隆起部１３１３が設けられている。
【０００７】
このような構成において、ユーザが、上部ハウジング１を下部ハウジング２に対するスライドの中間位置からスライドの端の位置にスライドさせていくと、これに伴いスライド部材１３１がシャーシ１３２に対してスライドし、スライド端の位置に達すると、図中ｄに示すように、板スプリング１３１１の隆起部１３１３とシャーシ１３２の間に配置されたボール１３６が、コイルスプリング１３７及び板バネ１３１１の付勢力により、シャーシ１３２底面に設けた孔１３５にはまり込んで、スライド部材１３１がロックする。また、逆に、ユーザが、上部ハウジング１を下部ハウジング２に対するスライドの端の位置からスライドの中間位置にスライドさせていくと、その力によって、板スプリング１３１１の隆起部１３１３とシャーシ１３２の間に配置されたボール１３６は、シャーシ１３２底面に設けた孔１３５から抜け出し、スライド部材１３１がシャーシ１３２に対してスライドしていくことになる。
【０００８】
なお、図中１３８は、下部ハウジング２をスライド部材１３１に固定するためのネジである。
この出願の発明に関連する先行技術文献情報としては以下のものがある。
【０００９】
【特許文献１】
特開２００２−２４５７６２号公報
【００１０】
【発明が解決しようとする課題】
前記従来のスライドタイプの携帯電話に用いるスライドモジュールの技術によれば、その構造上、上部ハウジング１の下部ハウジング２に対するスライドの端位置でのしっかりしたロックと、上部ハウジング１の下部ハウジング２に対するスムーズなスライドを両立することが困難であった。すなわち、板スプリング１３１１の隆起部１３１３とシャーシ１３２との間に配置されたボール１３６が、シャーシ１３２底面に設けた孔１３５に強い力ではまり込むように、コイルスプリング１３７及び板バネ１３１１の付勢力を強くすると、この付勢力が、上部ハウジング１の下部ハウジング２に対してスライドさせる際の摩擦を大きくしてしまい、そのスムーズなスライドを妨げてしまうことになる。
【００１１】
また、スムーズなスライドのためにバネ定数の小さいコイルバネ１３７を用いた場合、使用の繰り返しによる経年劣化を引き起こしやすい。
また、ボール１３６やコイルバネ１３７といった微細な部品を板バネ１３１１の隆起部１３１３とシャーシ１３２の間に組み込む必要があるため、製作作業が容易ではなく、また、その製作のための工数も多いものとなっていた。
そこで、本発明は、安定したロックとスムーズなスライド性能を兼ね備えた、より簡易に製作可能なスライドタイプの携帯電話用のスライドモジュールを提供することを課題とする。
【００１２】
【課題を解決するための手段】
前記課題達成のために、本発明は、携帯型の電話を構成する第１のハウジングと第２のハウジングとをスライド可能に連結するスライドモジュールを、前記第１のハウジングに固定されるスライド部材と、前記第２のハウジングに固定されるシャーシと、前記シャーシに固定され、前記シャーシの底面との間に前記スライド部材をスライド可能に収容する、前記スライド部材のスライドをガイドするガイド孔を有するケースと、ロック部材とを備えて構成し、前記ロック部材を、前記シャーシの底面と平行な方向に弾性を持って、前記スライド部材から加わるスライド方向の力に応じて、少なくとも当該ロック部材の一部分を変形することにより、スライド方向端に移動された前記スライド部材と、嵌脱可能に嵌合して、前記スライド部材のスライドを抑制する部材としたものである。
【００１３】
このようなスライドモジュールによれば、スライド部材のロックを、前記シャーシの底面と平行な方向に弾性を持って変形するロック部材によって実現する。そして、シャーシモジュールの前記シャーシの底面と水平な方向には、厚みに制限があるシャーシの底面と垂直な方向と異なり、比較的スペース上の余裕があり、また、このようなロック部材の配置、構成としては、スライド中に、当該スライド部材と非ロック領域におけるスライドの範囲においてシャーシの底面と垂直方向に重ならない配置、構成をとることができる。したがって、このようにすることにより、ロック部材に対するサイズや形状等に関する制限を小さくすることができ、前記従来の技術におけるシャーシの底面と垂直な方向に作用してスライド部材をロックするためのボールやコイルバネといった微細な部品を用いる必要を無くすることができる。また、このようにロック部材に対するサイズや形状等に関する制限が小さいことより、より安定したロックを実現することができるようになる。また、このようなスライドモジュールによれば、スライド方向端以外ではスライド部材に与えないようにロック部材を構成できるので、スライド部材のスムーズなスライドが容易に実現できる。
【００１４】
ここで、このようなスライドモジュールにおけるロック部材によるスライド部材のロック機構は、たとえば、前記スライド部材に、前記シャーシの底面と水平かつ前記スライド方向と垂直な方向にくびれた括れ部を設け、前記ロック部材を、前記スライド部材の括れ部とと弾性をもって嵌合して、前記スライド部材のスライドの抑制を行う弾性部材を含むものとすることなどにより実現できる。
【００１５】
または、このようなスライドモジュールにおけるロック部材によるスライド部材のロック機構は、たとえば、前記スライド部材に、前記第１のハウジングをネジ止めするためのネジ孔を有する、前記シャーシの底面に対して垂直に、前記ガイド孔を貫通して起立した筒状の固定部を備える場合には、前記ロック部材を、前記スライド部材の前記固定部に弾性をもって前記スライド方向に係合して、前前記スライド部材のスライドの抑制を行う弾性部材を含むものとすることにより実現できる。
【００１６】
なお、以上のスライドモジュールには、前記スライド部材と前記ケースとの間に配置された、前記スライド部材を前記シャーシの底面方向に付勢する板バネを設けることも、スライド操作感の実現の観点等より好ましい。
【００１７】
【発明の実施の形態】
以下、本発明の実施形態について説明する。
ここで、以下の実施形態に係る各スライドモジュールは先に図５に示した上部ハウジング１と下部ハウジング２とよりなるスライドタイプの携帯電話に適用されるものであり、携帯電話の上部ハウジング１と下部ハウジング２の構造や、スライドモジュールと上部ハウジング及び下部ハウジング２の連結の形態は、図６ａ、ｂに示したものと同様である。
【００１８】
まず、第１の実施形態について説明する。
図１に、本実施形態に係るスライドモジュール図を示す。
図中、ａはスライドモジュールの側面を示す、ｂはスライドモジュールの上面を示し、ｃはスライドモジュールを分解したようすを示している。
図示するように、スライドモジュールは、スライド部材２１と、板バネ２２と、二つのΩ形状のロック用バネ２３と、スライド部材２１を収容するシャーシ２４と、スライド部材２１のスライドをガイドするためのガイド孔２５が形成されたケース２６とからなる。そして、シャーシ２４の底面には、ロック用バネ２３を位置決めするための突起２４１が設けられている。また、シャーシ２４の上部には、上部ハウジング取り付け用の孔２４２が設けられている。そして、シャーシ２４の底面側４角には、ケース２６の側面に形成した突起形状２６１と嵌合する切り欠き２４３が設けられており、これらの突起形状２６１と切り欠き２４３の嵌合によって、ケース２６は、ケース２６とシャーシ２４との間にスライド部材２１と板バネ２２と二つのロック用バネ２３を収容した状態で、シャーシ２４に組み付けられる。また、ケース２６とシャーシ２４は、このように組み付けた後、レーザ溶接やネジ止めなどによって相互に連結される。
【００１９】
また、スライド部材２１には、垂直に起立した各々ネジ孔が設けられた二つの固定部２１１が設けられている。また、スライド部材２１のスライド方向両端部は、くびれを有する突形状部２１２となっている。
ここで、図２ａに図１ｂのＡＡ断面線による断面図を示し、図２ｂに上方よりみたスライドモジュール各部の配置を模式的に示す。
図示するように、スライド部材２１の二つの固定部２１１のネジ孔には、前述のように、携帯電話の下部ハウジング２がネジ止めされる。また、シャーシ２４の孔２４２を用いて、スライドモジュールが、上部ハウジング１にネジ止めされる。
【００２０】
そして、二つのロック用バネ２３は、シャーシ２４の底面に設けた突起２４１と、シャーシ及びケース２６の図中上下方向の側壁によって、上下端部に、それぞれ固定される。
さて、このような構成において、ユーザが、上部ハウジング１を下部ハウジング２に対するスライドの中間位置からスライドの端の位置にスライドさせていくと、これに伴いスライド部材２１がシャーシ２４に対してスライドし、スライドの端の位置に達すると、図２ｃに示すように、スライド部材２１のスライド方向端部の突形状部２１２が、ロック用バネ２３のΩ形状の開口部分を押し広げながらロック用バネ２３の内に圧入され、図中ｂ１に示すようにスライド部材２１のスライド方向端部の突形状部２１２のくびれとロック用バネ２３の開口部分が勘合した位置でロックされる。また、逆に、ユーザが、上部ハウジング１を下部ハウジング２に対するスライドの端の位置からスライドの中間位置にスライドさせていくと、その力によって、スライド部材２１のスライド方向と逆の端部の突形状部２１２は、ロック用バネ２３のΩ形状の開口部分を押し広げながらロック用バネ２３の外側に脱し、スライド部材２１がシャーシ２４に対してスライドしていくことになる。
【００２１】
そして、以上のようなスライド部材２１のロック、ロックの解除のユーザ操作の際には、ユーザに対して所定のクリック感がもたらされる。
なお、このようなスライドモジュールにおける板バネ２２は、スライド部材２１とケース２６との間に配置され、スライド時に適当な操作重み感をユーザに与えるために設けられている。
以上、本発明の第１の実施形態について説明した。
なお、スライドモジュールのサイズは、たとえば、スライド方向長さ６４ｍｍ、幅５ｍｍ、厚さ１ｍｍであり、スライド範囲は３５ｍｍである。
以下、本発明の第２の実施形態について説明する。
図３に、本実施形態に係るスライドモジュール図を示す。
図中、ａはスライドモジュールの側面を示す、ｂはスライドモジュールの上面を示し、ｃはスライドモジュールを分解したようすを示している。
図示するように、スライドモジュールは、スライド部材３１と、板バネ３２と、ロック用バネ３３と、スライド部材３１を収容するシャーシ３４と、スライド部材３１のスライドをガイドするためのガイド孔３５が形成されたケース３６とからなる。そして、ロック用バネ３３は、棒状の部材を、対向する二つのΩ形状部分３３１を有する環形状に成形したものであり、中央部分３３２が環形状の外側に折り曲げられて突出した形状を有している。また、シャーシ３４の長手方向側面には、ロック用バネ３３の中央の突出部分と係合し、ロック用バネ３３を位置決めするための切り欠き３４１が設けられている。
【００２２】
また、前記第１実施形態同様に、シャーシ３４の上部には、上部ハウジング取り付け用の孔３４２が設けられている。そして、シャーシ３４の底面側４角には、ケース３６の側面に形成した突起形状３６１と嵌合する切り欠き３４３が設けられており、これらの突起形状３６１と切り欠き３４３の嵌合によって、ケース３６は、ケース３６とシャーシ３４との間にスライド部材３１と板バネ３２とロック用バネ３３を収容した状態で、シャーシ３４に組み付けられる。また、ケース３６とシャーシ３４は、このように組み付けた後、レーザ溶接やネジ止めなどによって相互に連結される。
【００２３】
また、スライド部材３１には、垂直に起立した各々ネジ孔が設けられた二つの円筒形状の固定部３１１が設けられている。そして、板バネ３２には、この二つの固定部３１１を貫通させるための二つの孔３２１が設けられている。
【００２４】
ここで、図４ａに図１ｂのＢＢ断面線による断面図を示し、図４ｂに上方よりみたスライドモジュール各部の配置を模式的に示す。
図示するように、スライド部材３１の二つの固定部３１１のネジ孔には、前述のように、携帯電話の下部ハウジング２がネジ止めされる。また、シャーシ３４の孔３４２を用いて、スライドモジュールが、上部ハウジング１にネジ止めされる。
【００２５】
そして、シャーシ３４の長手方向側面に設けた切り欠き３４１とロック用バネ３３の中央の突出部分３３２が係合することにょり、ロック用バネ３３はシャーシ３４に固定される。
さて、このような構成において、ユーザが、上部ハウジング１を下部ハウジング２に対するスライドの中間位置からスライドの端の位置にスライドさせていくと、これに伴いスライド部材３１がシャーシ３４に対してスライドし、スライドの端の位置に達すると、ｂ１に示すように、スライド部材３１のスライド方向の固定部３１１が、ロック用バネ３３のΩ形状３３１の開口部分を押し広げながらΩ形状３３１の内に圧入される。そして、ロック用バネ３３のくびれ部分とケース３６のガイド孔３５の端との間に固定部３１１が挟まれた状態でロックされる。また、逆に、ユーザが、上部ハウジング１を下部ハウジング２に対するスライドの端の位置からスライドの中間位置にスライドさせていくと、その力によって、スライド部材３１のスライド方向と逆側の固定部３１１は、ロック用バネ３３のΩ形状３３１の開口部分を押し広げながらΩ形状３３１の外側に脱し、スライド部材３１がシャーシ３４に対してスライドしていくことになる。
【００２６】
そして、以上のようなスライド部材３１のロック、ロックの解除のユーザ操作の際には、ユーザに対して所定のクリック感がもたらされる。
なお、このようなスライドモジュールにおける板バネ３２は、スライド部材３１とケース３６との間に配置され、スライド時に適当な操作重み感をユーザに与えるために設けられている。
以上、本発明の第２実施形態について説明した。
以上の各実施形態によれば、スライド部材２１やスライド部材３１のロックを、スライド方向両端における、シャーシ２４の底面と水平な方向についてのスライド部材２１に対する作用のみによって実現すると共に、このことより可能となった、ロック用バネ２３やロック用バネ３３といった比較的大型の、したがって、所望のロックの力の設定がし易く継続的に安定したロック力を発揮することが期待できる部材を用いて、スライド部材２１やスライド部材３１のロックを実現している。また、これらのロック用バネ２３やロック用バネ３３は、スライド方向両端以外では、スライド部材２１やスライド部材３１に対して作用しないので、本実施形態によれば、良好なスライド性能を、安定したロック性能と合わせて実現することができる。また、このようにロック用バネ２３やロック用バネ３３といった比較的大型で単純な形状を有する部材は、製作、取り扱いが容易なので、本実施形態によれば、組み立て作業の簡易化、容易化が実現される。
【００２７】
【発明の効果】
以上のように、本発明によれば、安定したロックとスムーズなスライド性能を兼ね備えた、より簡易に製作可能なスライドタイプの携帯電話用のスライドモジュールを提供することができる。
【図面の簡単な説明】
【図１】本発明の第１実施形態に係るスライドモジュールの構造を示す図である。
【図２】本発明の第１の実施形態に係る第１実施形態に係るスライドモジュールの各部の配置を示す図である。
【図３】本発明の第２実施形態に係るスライドモジュールの構造を示す図である。
【図４】本発明の第２の実施形態に係る第１実施形態に係るスライドモジュールの各部の配置を示す図である。
【図５】スライドタイプの携帯電話を示す図である。
【図６】従来のスライドモジュールを示す図である。
【符号の説明】
１：上部ハウジング、２：下部ハウジング、２１：スライド部材、２１：ガイド片、２２：板バネ、２３：ロック用バネ、２４：シャーシ、２５：ガイド孔、２６：ケース、３１：スライド部材、３２：板バネ、３３：ロック用バネ、３４：シャーシ、３５：ガイド孔、３６：ケース、２１１：固定部、２１２：スライド方向両端部、２４１：突起、３１１：固定部。
【図１】
2004349906.tif 000003
【図２】
2004349906.tif 000004
【図３】
2004349906.tif 000005
【図４】
2004349906.tif 000006
【図５】
2004349906.tif 000007
【図６】
2004349906.tif 000008